(57)【要約】【課題】  光ファイバを使用した伝送システムにおいて障害が発生した場合、原因が伝送装置の故障か、光ファイバの破断かを確実に切り分ることができ、監視部に故障が発生しても主信号への影響がない光ファイバ破断監視システム及び光ファイバ破断監視方法を提供する。【解決手段】  監視光を上り側光ファイバｆ６と下り側光ファイバｆ５の両方向に伝送し、折り返し部１５を用いて監視光を折り返し、得られた監視光の受信レベル監視を行い、一方の伝送装置１２と監視光送受信部１３とが独立している。このため、主信号である信号光と監視光とが分離され、相関関係を持たないので、両伝送装置１２、１６の状態に影響されることなく光ファイバｆ５、ｆ６の一端で上り／下り側の光ファイバｆ５、ｆ６の破断監視を行うことができ、伝送システムに異常が発生した場合に、伝送装置の故障が原因か、光ファイバｆ５、ｆ６の破断が原因かの切り分けができ、監視光送受信部１３に故障が発生しても正常状態にある主信号系に影響を与えることなく交換修理を行うことができる。【選択図】  図１
2006033442.tif 000002
【特許請求の範囲】
【請求項１】
一方の伝送装置から他方の伝送装置へ向かう信号光を伝送する下り側の光ファイバ及び他方の伝送装置から一方の伝送装置へ向かう信号光を伝送する上り側の光ファイバの破断を一方の伝送装置に監視網を介して接続された監視端末で監視する光ファイバ破断監視システムにおいて、
一方の伝送装置と両光ファイバとの間に挿入され、前記信号光及び前記信号光と波長の異なる監視光を重畳／分離する重畳／分離部と、
前記監視端末と前記重畳／分離部との間に挿入され、前記一方の伝送装置とは独立して構成され、前記監視光の受信レベルがしきい値以下になると警報信号を発する監視光送受信部と、
両光ファイバと他方の伝送装置との間に挿入され、上り側の監視光を前記信号光から分離し、下り側の信号光に重畳することにより前記監視光のみを一方の伝送装置側に折り返す折り返し部とを備えたことを特徴とする光ファイバ破断監視システム。
【請求項２】
前記監視光送受信部は、
出力端が前記重畳／分離部の入力端に接続され、監視光を出力する発光部と、
入力端が前記重畳／分離部の出力端に接続され、前記重畳／分離部から入力した監視光を電気信号に変換し、しきい値と比較する受光部と、
入力端が前記受光部の出力端に接続され、出力端が前記監視網に接続され、前記監視光の受光レベルがしきい値を下回っていると前記監視網に接点出力、ＳＮＭＰトラップを出力する警報部とを有することを特徴とする請求項１記載の光ファイバ破断監視システム。
【請求項３】
前記重畳／分離部は、
一方の入力端が一方の伝送装置の出力端に接続され、他方の入力端が前記監視光送受信部の出力端に接続され、出力端が前記下り側の光ファイバに接続され、一方の伝送装置からの信号光と前記監視光送受信部からの監視光とを重畳して下り側光ファイバに出力する重畳側合波器と、
入力端が前記上り側の光ファイバに接続され、一方の出力端が一方の伝送装置の入力端に接続され、他方の出力端が前記監視光送受信部の入力端に接続され、上り側の光ファイバからの監視光及び信号光を分離して一方の伝送装置に信号光を出力し、前記監視光送受信部に前記監視光を出力する分離側分波器とを有することを特徴とする請求項１または２記載の光ファイバ破断監視システム。
【請求項４】
前記折り返し部は、
入力端に前記下り側の光ファイバが接続され、一方の出力端に前記他方の伝送装置の入力端が接続され、前記下り側の光ファイバから入力した前記信号光と前記監視光とを分離する折り返し側分波器と、
一方の入力端が前記分波器の他方の出力端に接続され、他方の入力端に前記他方の伝送装置の出力端が接続され、出力端に前記上り側の光ファイバが接続され、前記他方の伝送装置から入力した信号光と前記折り返し側分波器から入力した監視光とを合波する折り返し側合波器とを有することを特徴とする請求項１から３のいずれか１項記載の光ファイバ破断監視システム。
【請求項５】
前記監視光入出力部が警報信号を発した場合、前記重畳／分離部から前記監視光送受信部を外し、代わりにＯＴＤＲを接続することにより破断点の特定を行うようにしたことを特徴とする請求項１から４のいずれか１項記載の光ファイバ破断監視システム。
【請求項６】
一方の伝送装置から他方の伝送装置へ向かう信号光を伝送する下り側の光ファイバ及び他方の伝送装置から一方の伝送装置へ向かう信号光を伝送する上り側の光ファイバの破断を一方の伝送装置に監視網を介して接続された監視端末で監視する光ファイバ破断監視方法において、
監視光送受信部からの前記信号光と波長の異なる監視光と一方の伝送装置からの信号光とを重畳／分離部で重畳して前記下り側の光ファイバで他方の伝送装置側に伝送し、
他方の伝送装置と両光ファイバとの間に挿入された折り返し部で前記監視光と前記信号光とを折り返して前記上り側の光ファイバで前記重畳／分離部に伝送し、
前記重畳／分離部で前記監視光と前記信号光とを分離し、
前記監視光を監視光送受信部で受信することを特徴とする光ファイバ破断監視方法。
【請求項７】
前記監視光送受信部は、
発光部により監視光を前記重畳／分離部に出力し、
受光部により前記重畳／分離部から入力した監視光を電気信号に変換し、しきい値と比較し、
警報部により前記監視光の受光レベルがしきい値を下回っていると前記監視網に接点出力、ＳＮＭＰトラップを出力することを特徴とする請求項６記載の光ファイバ破断監視方法。
【請求項８】
前記重畳／分離部は、
重畳側合波器により一方の伝送装置からの信号光と前記監視光送受信部からの監視光とを重畳して下り側光ファイバに出力し、
分離側分波器により上り側の光ファイバからの監視光及び信号光を分離し、一方の伝送装置に信号光を出力し、前記監視光送受信部に前記監視光を出力することを特徴とする請求項６または７記載の光ファイバ破断監視方法。
【請求項９】
前記折り返し部は、
折り返し側分波器により前記下り側の光ファイバから入力した前記信号光と前記監視光とを分離し、
折り返し側合波器により前記他方の伝送装置から入力した信号光と前記折り返し側分波器から入力した監視光とを合波することを特徴とする請求項６から８のいずれか１項記載の光ファイバ破断監視方法。
【請求項１０】
前記監視光入出力部が警報信号を発した場合、前記重畳／分離部から前記監視光送受信部を外し、代わりにＯＴＤＲを接続することにより破断点の特定を行うことを特徴とする請求項６から９のいずれか１項記載の光ファイバ破断監視方法。
【発明の詳細な説明】
【技術分野】
【０００１】
本発明は、光ファイバ破断監視システム及び光ファイバ破断監視方法に関する。
【背景技術】
【０００２】
光ファイバを使用した光ファイバ破断監視システムの従来例を、図２を参照して説明する。
同図に示す光ファイバ破断監視システムは、一方の伝送装置２２から他方の伝送装置２３へ向かう信号光を伝送する下り側の光ファイバｆａ及び他方の伝送装置Ｂ２３から一方の伝送装置Ａ２２へ向かう信号光を伝送する上り側の光ファイバｆｂの破断を伝送装置２２に監視網２１を介して接続された監視端末２０で監視するものである。
【０００３】
同光ファイバ破断監視システムにおいて、伝送装置２２と伝送装置２３との間の下り側光ファイバｆｂが破断した場合、伝送装置２３は光入力断となり警報２４を発生する。
また、伝送装置２３と伝送装置との間の上り側光ファイバｆａが破断した場合は、伝送装置が光入力断となり警報２４を発出する。
しかしながら、従来の光ファイバ破断監視システムにおいては、伝送装置２３の警報２４を取り込むことができない場合、信号不通の原因が伝送装置２３の故障にあるのか、下り方向の光ファイバｆｂの破断なのかを切り分けすることができない。
また、伝送装置２３の装置故障（光出力部故障）や電源故障、または地点Ｂの局舎電源ダウン等が発生した場合にも同様の警報が伝送装置２２より発出されるため、信号不通の原因が伝送装置２３の装置故障にあるのか、上り方向の光ファイバｆｂの破断なのかを切り分けすることができない。
そこで、伝送装置２２からの信号を伝送装置２３側で折り返して光ファイバｆｂの破断か否かを検出する光ファイバケーブルの折損検出装置がある。
この装置は、光ファイバケーブルにファイバケーブルの折損監視用の異なる波長の監視用光信号を多重することにより光ファイバケーブルの折損を検出できるようにしたものである（例えば、特許文献１参照）。
【特許文献１】特開昭６０−１７７２３８号公報
【発明の開示】
【発明が解決しようとする課題】
【０００４】
しかしながら、上述した従来技術では、主信号系回路と制御系回路、及び監視部とが一体となっているため、監視部の故障により交換等を行う場合に主信号の断が発生してしまう。
そこで、本発明の目的は、光ファイバを使用した伝送システムにおいて障害が発生した場合、原因が伝送装置の故障か、光ファイバの破断かを確実に切り分ることができ、監視部に故障が発生しても主信号への影響がない光ファイバ破断監視システム及び光ファイバ破断監視方法を提供することにある。
【課題を解決するための手段】
【０００５】
上記課題を解決するため、請求項１記載の発明は、一方の伝送装置から他方の伝送装置へ向かう信号光を伝送する下り側の光ファイバ及び他方の伝送装置から一方の伝送装置へ向かう信号光を伝送する上り側の光ファイバの破断を一方の伝送装置に監視網を介して接続された監視端末で監視する光ファイバ破断監視システムにおいて、一方の伝送装置と両光ファイバとの間に挿入され、前記信号光及び前記信号光と波長の異なる監視光を重畳／分離する重畳／分離部と、前記監視端末と前記重畳／分離部との間に挿入され、前記一方の伝送装置とは独立して構成され、前記監視光の受信レベルがしきい値以下になると警報信号を発する監視光送受信部と、両光ファイバと他方の伝送装置との間に挿入され、上り側の監視光を前記信号光から分離し、下り側の信号光に重畳することにより前記監視光のみを一方の伝送装置側に折り返す折り返し部とを備えたことを特徴とする。
請求項１記載の発明によれば、監視光を上り側光ファイバと下り側光ファイバの両方向に伝送し、折り返し部を用いて監視光を折り返し、得られた監視光の受信レベル監視を行い、一方の伝送装置と監視光送受信部とが独立している。このため、主信号である信号光と監視光とが分離され、相関関係を持たないので、両伝送装置の状態に影響されることなく光ファイバの一端で上り／下り側の光ファイバの破断監視を行うことができ、伝送システムに異常が発生した場合に、伝送装置の故障が原因か、光ファイバの破断が原因かの切り分けができ、監視光送受信部に故障が発生しても正常状態にある主信号系に影響を与えることなく交換修理を行うことができる。
【０００６】
請求項２記載の発明は、請求項１記載の発明において、前記監視光送受信部は、出力端が前記重畳／分離部の入力端に接続され、監視光を出力する発光部と、入力端が前記重畳／分離部の出力端に接続され、前記重畳／分離部から入力した監視光を電気信号に変換し、しきい値と比較する受光部と、入力端が前記受光部の出力端に接続され、出力端が前記監視網に接続され、前記監視光の受光レベルがしきい値を下回っていると前記監視網に接点出力、ＳＮＭＰトラップを出力する警報部とを有することを特徴とする。
【０００７】
請求項３記載の発明は、請求項１または２記載の発明において、前記重畳／分離部は、一方の入力端が一方の伝送装置の出力端に接続され、他方の入力端が前記監視光送受信部の出力端に接続され、出力端が前記下り側の光ファイバに接続され、一方の伝送装置からの信号光と前記監視光送受信部からの監視光とを重畳して下り側光ファイバに出力する重畳側合波器と、入力端が前記上り側の光ファイバに接続され、一方の出力端が一方の伝送装置の入力端に接続され、他方の出力端が前記監視光送受信部の入力端に接続され、上り側の光ファイバからの監視光及び信号光を分離して一方の伝送装置に信号光を出力し、前記監視光送受信部に前記監視光を出力する分離側分波器とを有することを特徴とする。
【０００８】
請求項４記載の発明は、請求項１から３のいずれか１項記載の発明において、前記折り返し部は、入力端に前記下り側の光ファイバが接続され、一方の出力端に前記他方の伝送装置の入力端が接続され、前記下り側の光ファイバから入力した前記信号光と前記監視光とを分離する折り返し側分波器と、一方の入力端が前記分波器の他方の出力端に接続され、他方の入力端に前記他方の伝送装置の出力端が接続され、出力端に前記上り側の光ファイバが接続され、前記他方の伝送装置から入力した信号光と前記折り返し側分波器から入力した監視光とを合波する折り返し側合波器とを有することを特徴とする。
【０００９】
請求項５記載の発明は、請求項１から４のいずれか１項記載の発明において、前記監視光入出力部が警報信号を発した場合、前記重畳／分離部から前記監視光送受信部を外し、代わりにＯＴＤＲを接続することにより破断点の特定を行うようにしたことを特徴とする。
【００１０】
請求項６記載の発明は、一方の伝送装置から他方の伝送装置へ向かう信号光を伝送する下り側の光ファイバ及び他方の伝送装置から一方の伝送装置へ向かう信号光を伝送する上り側の光ファイバの破断を一方の伝送装置に監視網を介して接続された監視端末で監視する光ファイバ破断監視方法において、監視光送受信部からの前記信号光と波長の異なる監視光と一方の伝送装置からの信号光とを重畳／分離部で重畳して前記下り側の光ファイバで他方の伝送装置側に伝送し、他方の伝送装置と両光ファイバとの間に挿入された折り返し部で前記監視光と前記信号光とを折り返して前記上り側の光ファイバで前記重畳／分離部に伝送し、前記重畳／分離部で前記監視光と前記信号光とを分離し、前記監視光を監視光送受信部で受信することを特徴とする。
【００１１】
請求項７記載の発明は、請求項６記載の発明において、前記監視光送受信部は、発光部により監視光を前記重畳／分離部に出力し、受光部により前記重畳／分離部から入力した監視光を電気信号に変換し、しきい値と比較し、警報部により前記監視光の受光レベルがしきい値を下回っていると前記監視網に接点出力、ＳＮＭＰトラップを出力することを特徴とする。
【００１２】
請求項８記載の発明は、請求項６または７記載の発明において、前記重畳／分離部は、重畳側合波器により一方の伝送装置からの信号光と前記監視光送受信部からの監視光とを重畳して下り側光ファイバに出力し、分離側分波器により上り側の光ファイバからの監視光及び信号光を分離し、一方の伝送装置に信号光を出力し、前記監視光送受信部に前記監視光を出力することを特徴とする。
【００１３】
請求項９記載の発明は、請求項６から８のいずれか１項記載の発明において、前記折り返し部は、折り返し側分波器により前記下り側の光ファイバから入力した前記信号光と前記監視光とを分離し、折り返し側合波器により前記他方の伝送装置から入力した信号光と前記折り返し側分波器から入力した監視光とを合波することを特徴とする。
【００１４】
請求項１０記載の発明は請求項６から９のいずれか１項記載の発明において、前記監視光入出力部が警報信号を発した場合、前記重畳／分離部から前記監視光送受信部を外し、代わりにＯＴＤＲを接続することにより破断点の特定を行うことを特徴とする。
【発明の効果】
【００１５】
監視光を上り側光ファイバと下り側光ファイバの両方向に伝送し、折り返し部を用いて監視光を折り返し、得られた監視光の受信レベル監視を行い、一方の伝送装置と監視光送受信部とが独立している。このため、主信号である信号光と監視光とが分離され、相関関係を持たないので、両伝送装置の状態に影響されることなく光ファイバの一端で上り／下り側の光ファイバの破断監視を行うことができ、伝送システムに異常が発生した場合に、伝送装置の故障が原因か、光ファイバの破断が原因かの切り分けができ、監視光送受信部に故障が発生しても正常状態にある主信号系に影響を与えることなく交換修理を行うことができる。
【発明を実施するための最良の形態】
【００１６】
本発明は、光ファイバを使用したポイント−ｔｏ−ポイント伝送システムにおいて、１地点で一対（上り／下り両方向）の光ファイバの破断監視が常時可能であることを特徴としている。
図１において、監視光送受信部１３は、主信号（信号光）と波長の異なる監視光の出力と、監視光の受信レベルの検出とを行い、監視光の受信レベルがしきい値以下となった場合に、警報出力を行う。
重畳／分離部１４は、ＷＤＭ（Wavelength Division Multiplexing ）カプラにより主信号（信号光）に監視光を重畳し、また主信号から監視光を分離する。
折り返し部１５は、下り方向の監視光を主信号より分離し、上り方向の主信号に重畳することにより監視光のみを折り返す。
このようにして、本発明では、監視光を上り／下り両方向に通し、監視光の受信レベル監視を行っているので、１地点で上り／下り方向の破断監視ができる。
重畳／分離部１４及び折り返し部１５はパッシブ素子にて構成され、主信号系の機器と監視光送受信部１３とは完全に分離されているため、監視光送受信部１２に障害が発生した場合でも主信号に影響を与えない。
【００１７】
また、伝送システムがダウンした場合においても伝送装置１２または伝送装置１６に障害が発生したのか、光ファイバｆａ、ｆｂが破断したのかが確実に切り分けが可能となる。監視光送受信部１３に故障が発生しても監視光送受信部１３と伝送装置１２とは互いに独立しているので、主信号系に影響を与えることなく監視光送受信部１３の交換や修理を行うことができる。
また、監視光と同じ波長であれば主信号用光ファイバｆ５、ｆ６の接続を変更することなくＯＴＤＲ（Optical Time Domain Reflectometery）等の測定器を接続、破断点の測定を行うことができる。
【実施例１】
【００１８】
図１に、本発明の光ファイバ破断監視方法を適用した光ファイバ破断監視システムの一実施例のブロック図を示す。
本実施例では地点Ａに一方の伝送装置としての伝送装置１２、及び監視網１１が設置されており、伝送装置１２の入出力端に重畳／分離部１４、及び監視光送受信部１３が設置されている。伝送装置１２と重畳／分離部１４との間は光ファイバｆ１、ｆ２で接続され、監視光送受信部１３と重畳／分離部１４との間は光ファイバｆ３、ｆ４で接続されている。
監視網１１と監視光入出力部１３との間は電線ケーブルもしくは光ファイバで接続され、監視網１１と監視端末１０との間は電線ケーブルもしくは光ファイバで接続されている。
地点Ｂには他方の伝送装置としての伝送装置１６が設置されており、伝送装置１６の入出力端に折り返し部１５が設置されている。重畳／分離部１４と折り返し部１５との間は光ファイバｆ５、ｆ６で接続され、折り返し部１５と伝送装置１６との間は光ファイバｆ７、ｆ８で接続されている。
【００１９】
図３に図１に示す光ファイバ破断監視システムに用いられる監視光送受信部の詳細を示す。
図３において、監視光送受信部１３の発光部３０は例えばレーザダイオードが用いられ、監視光の光ファイバｆ３への出力を行う。受光部３１は光ファイバｆ４から入力された監視光のレベルを電気信号のレベルに変換し、しきい値と比較する。受光部３１に接続された警報部３２は、受光レベル（監視光レベル）がしきい値を下回っている場合に、監視網１１（図１参照）に接点出力、ＳＮＭＰ（Simple Network Management Protocol：TCP／IPネットワークにおいて、コンピュータやハブ、ルータ等軒器の管理を行うために用いられるプロトコル）トラップを出力する。
【００２０】
図４に、図１に示す光ファイバ破断監視システムに用いられる重畳／分離部の詳細な構成を示す。
図４において、重畳／分離部１４の合波器としての重畳用ＷＤＭ（Wavelength Division Multiplexing）カプラ４０は、監視光送受信部１３（図１参照）より光ファイバｆ３を介して入力された監視光（波長Ｂ）と伝送装置１２より光ファイバｆ１を介して入力された主信号（波長Ａ）の合波を行い、伝送路下り側（光ファイバｆ５）に出力する。
分波器としての分離用ＷＤＭカプラ４１は、伝送路上り側（光ファイバｆ６）より入力された監視光と主信号とを波長Ａ、Ｂに分波し、主信号（波長Ａ）は伝送装置１２に光ファイバｆ２を介して出力し、監視光（波長Ｂ）は光ファイバｆ４を介して監視光送受信部１３に出力する。
なお、監視光は図では光ファイバｆ３、重畳用ＷＤＭカプラ４０、光ファイバｆ５、（略）、光ファイバｆ６、分離用ＷＤＭカプラ４１、及び光ファイバｆ４を矢印方向に通る場合で説明したが、本発明はこれに限定されず、監視光が光ファイバｆ４、分離用ＷＤＭカプラ４１、光ファイバｆ６、（略）、重畳用ＷＤＭカプラ４０、及び光ファイバｆ３を矢印とは逆方向に通るように構成してもよい。
【００２１】
図５に図１に示す光ファイバ破断監視システムに用いられる折り返し部の詳細な構成を示す。
図５において、折り返し部１５の折り返し側分波器としての分離用ＷＤＭカプラ５０は、下り側伝送路（光ファイバｆ５）より入力された監視光と主信号との分離を行い、主信号（波長Ａ）は伝送装置１６に光ファイバｆ７を介して出力し、監視光（波長Ｂ）は折り返し側合波器としての重畳用ＷＤＭカプラ５１に光ファイバｆ１０（導波路でもよい）を介して出力する。
重畳用ＷＤＭカプラ５１は、伝送装置１６より光ファイバｆ８を介して入力された主信号（波長Ａ）と、分離用ＷＤＭカプラ５０より光ファイバｆ１０を介して入力された監視光（波長Ｂ）とを合波し（波長Ａ＋Ｂ）、伝送路上り側（光ファイバｆ６）に出力する。
以上詳細に実施例の構成を述べたが、図１に示した伝送装置１２、１６、伝送路（光ファイバ）ｆ５、ｆ６、監視網１１、監視端末１０は、当業者にとってよく知られており、また本発明とは直接関係しないので、その詳細な構成については説明を省略する。
【００２２】
（実施例の動作の説明）
次に図１に示した光ファイバ破断監視システムの監視時の動作を説明する。
図１において、地点Ａに設置された伝送装置１２より出力された光信号（波長Ａ）、及び監視光送受信部１３より出力された光信号（波長Ｂ）は、光ファイバｆ１、ｆ３を介して重畳／分離部１４により合波され、伝送路下り側（光ファイバｆ５）に出力され地点Ｂに至る。
地点Ｂでは、伝送路下り側（光ファイバｆ５）からの信号が、折り返し部１５により伝送装置Ａ１２より出力された主信号（波長Ａ）と、監視装置送受信部１３より出力された光信号（波長Ｂ）とに分離される。分離された主信号（波長Ａ）は伝送装置Ｂ１６に光ファイバｆ７を介して入力され、伝送装置１５と送装置１６との通信を行う。
【００２３】
一方、監視光（波長Ｂ）は、伝送装置１６より光ファイバｆ８を介して出力された主信号（波長Ａ）と合波され（波長Ａ＋Ｂ）、再度地点Ａに向け伝送路上り側（光ファイバｆ６）を通して伝送される。
伝送路上り側（光ファイバｆ６）は、地点Ａの重畳／分離部１４にて主信号（波長Ａ）と監視光（波長Ｂ）とに分離され、主信号（波長Ａ）は光ファイバｆ２を介して伝送装置１２に入力され通信を行う。
監視光（波長Ｂ）は、光ファイバｆ４を介して監視光送受信部１３に入力される。すなわち、監視光は、波線で示すように監視光送受信部１３から光ファイバｆ３、重畳／分離部１４、光ファイバｆ５、折り返し部１５、光ファイバｆ６、光ファイバｆ４、及び監視光送受信部１３の順に伝送されるのである。監視光疎受信部１３に入力した光信号は電気信号に変換され、その電気信号のレベルがしきい値と比較される。
監視光送受信部１３における比較結果がしきい値を下回った場合、監視光送受信部１３は、伝送路の光ファイバｆ５、ｆ６にて破断が発生していると判断し、接点警報の出力、及び接続された監視網１１を介して、監視端末１０へのＳＭＭＰトラップの出力を行う。
【００２４】
（効果の説明）
以上説明したように、本発明においては、監視光を上り／下り両方向の伝送路（光ファイバｆ５、ｆ６）に通し、監視光の受信レベル監視を行っているので、方端で上り／下り方向の光ファイバｆ５、ｆ６の破断監視ができ、伝送装置１２、伝送装置１６の状態に影響することなく伝送路としての光ファイバｆ５、ｆ６の破断監視ができ、伝送システムの異常が発生した場合に、伝送装置１２、１６の故障が原因か、光ファイバｆ５、ｆ６の破断が原因かの切り分けができる。
【実施例２】
【００２５】
本発明の他の実施例として、その基本的構成は上記の通りであるが、図１において重畳／分離部１４、折り返し部１５はパッシブ素子のみで構成され、主信号（波長Ａ）と異なる特定の波長（波長Ｂ）の信号（監視光）のみ折り返すことが可能であるため、主信号に影響を与えることなくＯＴＤＲ等による回線の特性試験を行うことができる。
【００２６】
図６に本発明の光ファイバ破断監視方法を適用した光ファイバ破断監視システムの他の実施例のブロック図を示す。
同図において、本実施例では地点Ａに一方の伝送装置としての伝送装置１２、及び監視網１１が設置されており、伝送装置１２の入出力端に重畳／分離部１４が設置されている。監視光送受信部１３は重畳／分離部１４から切り離されている。伝送装置１２と重畳／分離部１４との間は光ファイバｆ１、ｆ２で接続されている。
地点Ｂには他方の伝送装置としての伝送装置１６が設置されており、伝送装置１６の入出力端に折り返し部１５が設置されている。重畳／分離部１４と折り返し部１５との間は光ファイバｆ５、ｆ６で接続され、折り返し部１５と伝送装置１６との間は光ファイバｆ７、ｆ８で接続されている。同図は、監視光送受信部１３にて警報が出力され、監視光送受信部１３が外され、監視光送受信部１３の代わりにＯＴＤＲ６０が重畳／分離部１４に接続された状態を示している。
ＯＴＤＲ６０からの波長Ｂの監視光は、波線で示すように光ファイバｆ１１、重畳／分離部１４、光ファイバｆ５、折り返し部１５、光ファイバｆ６、破断点Ｘ、光ファイバｆ６、折り返し部１５、光ファイバｆ５、重畳／分離部１４、及び光ファイバｆ１１を介してＯＴＤＲ６０に入力される。
このように接続することにより、光ファイバｆ６（もしくは光ファイバｆ５）の破断点Ｘの特定をＯＴＤＲ６０で行うことができる。
【図面の簡単な説明】
【００２７】
【図１】本発明の光ファイバ破断監視方法を適用した光ファイバ破断監視システムの一実施例を示すブロック図である。
【図２】光ファイバを使用した光ファイバ破断監視システムの従来例を示すブロック図である。
【図３】図１に示す光ファイバ破断監視システムに用いられる監視光送受信部の詳細を示す図である。
【図４】図１に示す光ファイバ破断監視システムに用いられる重畳／分離部の詳細な構成を示す図である。
【図５】図１に示す光ファイバ破断監視システムに用いられる折り返し部の詳細な構成を示す図である。
【図６】本発明の光ファイバ破断監視方法を適用した光ファイバ破断監視システムの他の実施例を示すブロック図である。
【符号の説明】
【００２８】
１０    監視端末
１１    監視網
１２、１６    伝送装置
１３    監視光送受信部
１４    重畳／分離部
１５    折り返し部
ｆａ、ｆｂ、ｆ１〜ｆ１０    光ファイバ
【図１】
2006033442.tif 000003
【図２】
2006033442.tif 000004
【図３】
2006033442.tif 000005
【図４】
2006033442.tif 000006
【図５】
2006033442.tif 000007
【図６】
2006033442.tif 000008